(57)【要約】      （修正有）【課題】旅行業の固定式の店舗がない地域においても旅行店舗を開設できるための、旅行店舗設備を備えた移動店舗トラックを提供する。【解決手段】前進方向に対して左側面を開放可能な荷室０１０１を有する移動旅行相談店舗トラック０１００であって、荷室の左側面付近に外側に画面を向けて配置される薄型ディスプレイ０１０３と、薄型ディスプレイに旅行の宣伝ビデオを出力するビデオ再生装置０１０４と、荷室内に設置される職員と顧客の対面商談のための対面商談デスクセット０１０５と、荷室内に設置されるコンピュータを利用した顧客用のツアー検索装置０１０６とを備えて移動旅行相談店舗トラック０１００を構成する。【選択図】図１
0003151681.tif 000002
【実用新案登録請求の範囲】
【請求項１】
前進方向に対して左側面を開放可能な荷室を有する移動旅行相談店舗トラックであって、
荷室の左側面付近に外側に画面を向けて配置される薄型ディスプレイと、
薄型ディスプレイに旅行の宣伝ビデオを出力するビデオ再生装置と、
荷室内に設置される職員と顧客の対面商談のための対面商談デスクセットと、
荷室内に設置されるコンピュータを利用した顧客用のツアー検索装置と、
を備えた移動旅行相談店舗トラック。
【請求項２】
対面商談デスクセットは、職員：顧客の比が１対１または１対２である請求項１に記載に移動旅行相談店舗トラック。
【請求項３】
ツアー検索装置は、前進方向に対して右側面側の隅に設置されている請求項１または２に記載の移動旅行相談店舗トラック。
【請求項４】
荷室に対して登壇する仮設階段が、前進方向に対して左側面と、後ろ側面の２か所以上に設けられている請求項１から３のいずれか一に記載の移動旅行相談店舗トラック。
【考案の詳細な説明】
【技術分野】
【０００１】
本考案は、移動店舗を開設するための設備を搭載したトラック、バスなどの移動店舗車両に関する。
【背景技術】
【０００２】
移動店舗は、トラックやバスなどの車両に商品や役務提供用設備を搭載した店舗をいう。このような移動店舗は、当該車両で固定式の店舗のない地域などに移動し、移動先で顧客に商品や役務を提供することができ、固定式の店舗が近くにない地域の住民にとっては重宝なものである。トラックに野菜などの食品を搭載して市街地まで売りに来るといった商品販売のための移動店舗は昔からよく見られたが、近年では、飲食業、医療・福祉関係事業、金融・証券業など、そのための設備の搭載が必要となることが多い役務分野においても、こうした移動店舗が見られるようになっている。
【０００３】
そこで、このような移動店舗の開設を可能にするために、所要の設備を備えた移動店舗の構成を工夫した発明・考案もいくつか知られている。例えば、特許文献１には、車輪を備えて移動可能なバス型ボディ内部に、椅子、テーブル等の調度設備を配設するとともに、空調機器や照明機器等の付帯設備を設けた車輪付き移動店舗が開示されている（特許文献１参照）。
【０００４】
また、非特許文献１には、証券会社の証券窓口サービス提供用の移動営業所機能を搭載したトラックであって、株価ボードや本店への照会のためのテレビ会議システムなどを搭載したものが開示されている。
【先行技術文献】
【特許文献】
【０００５】
【特許文献１】実開平４‐０６９２３６号公報
【非特許文献】
【０００６】
【非特許文献１】カブドットコム証券ホームページ（ｈｔｔｐ：／／ｋａｂｕ．ＣＯＭ／ｃｏｍｐａｎｙ／ｐｒｅｓｓｒｅｌｅａｓｅ／２００８／２００８０８２５．ａｓｐ）
【考案の開示】
【考案が解決しようとする課題】
【０００７】
ところで、旅行業については、旅行代理店などに特有な設備の搭載の工夫が必要なこともあって、これまでのところこうした移動店舗は存在していない。
【０００８】
しかし、旅行業の分野においても、営業採算等の面から、固定式の店舗が近くに存在しない地域が少なからず生じており、こうした地域を訪問し、基本的に固定式の店舗と変わらないサービスを提供することができる移動店舗トラックがあれば、住民にとってたいへん便利である。
【０００９】
そこで、本考案の解決すべき課題は、旅行代理店などの固定式の店舗がない地域においても店舗を開設できるための、旅行代理店の店舗設備を備えた移動旅行相談店舗トラックを提供することにある。
【課題を解決するための手段】
【００１０】
以上の課題を解決するため、第一の考案は、前進方向に対して左側面を開放可能な荷室を有する移動旅行相談店舗トラックであって、荷室の左側面付近に外側に画面を向けて配置される薄型ディスプレイと、薄型ディスプレイに旅行の宣伝ビデオを出力するビデオ再生装置と、荷室内に設置される職員と顧客の対面商談のための対面商談デスクセットと、荷室内に設置されるコンピュータを利用した顧客用のツアー検索装置とを備えた移動旅行相談店舗トラックを提供する。
【００１１】
また、第二の考案は、第一の考案を基礎として、対面商談デスクセットは、職員：顧客の比が１対１または１対２である移動旅行相談店舗トラックを提供する。
【００１２】
また、第三の考案は、第一または第二の考案を基礎として、ツアー検索装置は、前進方向に対して右側面側の隅に設置されている移動旅行相談店舗トラックを提供する。
【００１３】
また、第四の考案は、第一から第二のいずれか一の考案を基礎として、荷室に対して登壇する仮設階段が、前進方向に対して左側面と、後ろ側面の２か所以上に設けられている移動旅行相談店舗トラックを提供する。
【考案の効果】
【００１４】
本考案により、旅行業の固定式の店舗がない地域においても旅行代理店などの店舗を開設できるための、旅行店舗設備を備えた移動旅行相談店舗トラックを提供することが可能となる。
【図面の簡単な説明】
【００１５】
【図１】本考案に係る移動旅行相談店舗トラックの外観の一例を示す図
【図２】走行時における移動旅行相談店舗トラックの外観の一例を示す図
【図３】荷室の左側面が有する２枚の扉がひさし屋根とステップを形成している状態の一例を示す図
【図４】後ろ側面を開放する場合に、荷室の後ろ側面が有する２枚の扉のうち、上の扉がひさし屋根を形成している状態の一例を示す図
【図５】側面が開放された状態における自動扉の配置の一例を示す図
【図６】本考案に係る移動旅行相談店舗トラックの荷室内における装置・設備の配置の一例を示す図
【図７】本考案にかかる移動旅行相談店舗トラックを利用する顧客の移動の動きの一例を示す概念図
【符号の説明】
【００１６】
０１００      移動旅行相談店舗トラック
０１０１      荷室
０１０２      左側面
０１０３      薄型ディスプレイ
０１０４      ビデオ再生装置
０１０５      対面商談デスクセット
０１０６      ツアー検索装置
０１０７      左側面の上の扉
０１０８      左側面の下の扉
０１１０      仮設階段
０１１０ａ    仮設階段の転落防止用の柵
０１１３      のぼり旗を立てるためのポール
０１１４      トラックの運転台
０１１５      旅客機のノーズ部分の形状を模した外装部品
０１１６      旅客機の垂直尾翼の形状を模した外装部品
【考案を実施するための形態】
【００１７】
以下に、本考案の実施例を説明する。なお、本考案はこれら実施例に何ら限定されるものではなく、その要旨を逸脱しない範囲において、種々なる態様で実施しうる。
【実施例１】
【００１８】
<概要>
【００１９】
本実施例の考案に係る移動旅行相談店舗トラックは、前進方向に対して左側面を開放可能な荷室を有しており、この荷室などに配置され、移動旅行相談店舗での役務提供に用いるための薄型ディスプレイ、ビデオ再生装置、対面商談デスクセット、ツアー検索装置などを備えたものである。
【００２０】
<構成>    
【００２１】
（全般）
【００２２】
はじめに本実施例の考案に係る移動旅行相談店舗トラックの全般的な構成について説明する。なお、本考案において「移動旅行相談店舗」とは、旅行に関する相談や予約などの業務を行う店舗をいい、この業務の範囲は、旅行業における固定的な店舗が行っている業務の範囲と基本的に同一である。
【００２３】
（店舗の外装に関するトラックの構成）
【００２４】
まず、店舗の外装に関するトラックの構成について説明する。なお、説明中で用いている各図に現れたトラックの寸法比率、各部の形状（後述する外装部品等の形状を含む）はそれぞれ一例であるので、必ずしもこれら図面間で各部の寸法比や形状は一致しない。
【００２５】
（全般）
【００２６】
図１は、本考案に係る移動旅行相談店舗トラック（以下、単に「トラック」ということがある）の外観の一例を示す図である。
【００２７】
本図の例は、４トン型のトラックを利用した移動旅行相談店舗トラック０１００の荷室０１０１の前進方向に対して左側面０１０２を開放して、移動旅行相談店舗での役務提供に用いるための各種装置・設備を配置したものであり、本図で配置されている装置・設備としては、薄型ディスプレイ０１０３、ビデオ再生装置０１０４、対面商談デスクセット０１０５、ツアー検索装置０１０６が示されている。なお、本考案において、「荷室」とはトラックのうち荷物を積むためのスペースをいい、好適には、本図の例のような屋根の付いたコンテナ形状のものが考えられる。
【００２８】
また、本図の例では後ろ側面（背面、後部面）も開放されている。このように、左側面に加えて後ろ側面も開放するようにしてもよい。
【００２９】
このような店舗を開設する際には、移動旅行相談店舗トラックはこれらの装置・設備を荷室に搭載して、移動旅行相談店舗を開設しようとする目的地（以下単に「目的地」という）まで走行して移動する。そして、目的地に到着すると、荷室の左側面を開放し、装置・設備を所定の位置に展開して店舗を開設する。
【００３０】
図２は、走行時における移動旅行相談店舗トラックの外観の一例を示す図である。本図に示すように、移動旅行相談店舗トラック０２００は、走行時においては左側面０２０２を閉鎖した状態で走行する。本図には現れていないが、走行時には当然ながら、後ろ側面を含めた他の全面も閉鎖した状態である。走行時において、荷室内には、上述のような装置・設備が搭載されている。
【００３１】
トラックの左側面は、略中央で上下に分割される２枚の扉０２０７、０２０８を有する。この２枚の扉は左側面略中央に水平に現れる合わせ目位置０２０９から上の扉０２０７は上方向に、下の扉０２０８は下方向にいわば観音開きのように開放することができる構造になっている。
【００３２】
そこで、トラックが目的地に到着すると、これらの扉を上下に開くことにより、荷室の左側面を開放することができ、これによって、荷室に移動店舗の空間を作り出すことができる。
【００３３】
その際、図１の例では、上の扉０１０７を略水平となる位置まで略９０度開いて支持棒（図示を省略）などで固定することでひさし屋根を形成し、下の扉０１０８も略水平となる位置まで略９０度開いて同様の固定方法によりステップを形成した状態となっている。このように、扉を利用してひさし屋根を形成することで、屋外において雨天時にも店舗を開設することが可能となり、また、扉を利用してステップを形成することで、顧客などが店舗内への出入りに利用し、あるいは狭い店舗内をある程度移動することが可能となる。この仮設階段や支持棒なども移動の際にトラックに搭載していけばよい。
【００３４】
図３は、以上の状態をわかりやすく示すため、荷室の左側面が有する２枚の扉０３０７、０３０８がひさし屋根とステップを形成している状態の一例を示す図である。本図の例ではステップの外側に仮設階段０３１０が架設されており（図１の例でも同様に仮設階段０１１０が架設されている）、顧客はこの仮設階段とステップを利用して店舗に出入りするようになっている。
【００３５】
また、左側面に加えて後ろ側面も開放する場合には、後ろ側面上で左側面について述べたのと同様に、２枚の扉を有し、これらを上下に開放することができる構造とすればよい。この場合もやはり上の扉をひさし屋根として利用することが可能となる。また、下の扉をステップとしてもよいが、後ろ側面に設けたステップを利用して店舗内を移動することはあまり想定されないことから、下の扉は略垂直となる位置まで略１８０度開き、その上に仮設階段を被せるようにして荷室に直接架設し、仮設階段から荷室に直接登壇するようにしてもよい。
【００３６】
なお、顧客などが店舗内を移動する際に滑らないように、荷室の床などに滑り止め用のゴム素材などを用いることが望ましい。
【００３７】
図４は、後ろ側面を開放する場合に、荷室の後ろ側面が有する２枚の扉０４１１、０４１２のうち、上の扉０４１１がひさし屋根を形成している状態の一例を示す図である。なお、本図では、下の扉０４１２が略垂直位置まで開かれ、仮設階段０４１０が荷室に対して直接架設されている例を示した。
【００３８】
（仮設階段）
【００３９】
ここで、仮設階段の構成についてさらに詳細に説明する。
【００４０】
「仮設階段」は、荷室に登壇するためにトラックが駐車している地上面から荷室に対して一時的に架設されるタラップ状の階段である。図１の例のように、荷室の左側面にステップが張り出している場合には、仮設階段はステップに対して架設される。
【００４１】
図１の例では、左側面には１個の仮設階段０１１０が架設されているが、左側面に架設される仮設階段の個所数は１カ所に限られず、複数個所であってもよい。例えば、左側面の前部寄りに１か所と後部寄りに１か所といった具合に２か所の仮設階段を設けてもよい。このような配置の目的は、例えば、後述するように狭い店舗内に事務用デスクなど様々な装置・設備が配置されており、店舗内を顧客が前部から後部まで移動することが困難な場合もあることから、前部近くで役務の提供を受ける顧客は前部寄りの階段を使って登降壇し、後部近くで役務の提供を受ける顧客は後部寄りの階段を使って登降壇するようにするためである。
【００４２】
なお、左側面に１か所だけ仮設階段を設ける場合において、薄型ディスプレイを、例えば後述のようにトラックの外で対面商談などの順番待ちをしている人が退屈しないように宣伝ビデオを表示するのに用いる場合には、図１の例とは異なり、仮設階段を中央部ではなく、前部寄りなどに仮設してディスプレイを見ている人のじゃまにならないようにすることが考えられる。
【００４３】
仮設階段には、図１にも示されているように、転落防止用の柵０１１０ａが設けられていることが望ましい。また、ステップに取り付けたときに左右にずれないように、仮設階段には例えばステップ床面への固定金具が備えられている。
【００４４】
左側面に加えて後ろ側面も開放する場合には、仮設階段に左側面に１か所、後ろ側面に１か所の計２か所設けてもよい。あるいは、左側面に２か所、後ろ側面に１か所の計３か所設けるといった具合に３か所以上の仮設階段を設けてもよい。このように、本考案にかかる移動旅行相談店舗トラックにおいては、仮設階段が、左側面と後ろ側面の２か所以上に設けられていてもよい。具体的にどのような位置に仮設階段を配置するかは、後述する内装設備の配置などを勘案して顧客にとって店舗への登降壇や店舗内の移動をスムーズに行いやすい配置とすればよい。
【００４５】
図７は、本考案にかかる移動旅行相談店舗トラックを利用する顧客の移動の動きの一例を示す概念図である。本例では、顧客はツアー検索装置を使用してツアーの検索を行った後、職員との対面商談により旅行の予約を行うとの例で説明する。また、大勢の顧客がトラックの外で順番待ちをしており、順番待ちをしている間は、薄型ディスプレイ０７０３に表示されるビデオを車外に設置された席で楽しみ、順番が来たら、店舗内に進むという例で説明する。
【００４６】
順番が来た顧客は、（１）トラックの後部に回って後ろ側面に進み、（２）後ろ側面に設けられている仮設階段０７１０から登壇して荷室内に入り、まずツアー検索装置０７０７に向かう。そこで、検索を終えた顧客は、今度は（３）対面商談デスクに進み、職員と対面商談を行う。そして、商談を終えると（４）顧客は、左側面前方に設けられた仮設階段０７１０を通ってトラックから降壇する。
【００４７】
このように、本考案によれば、仮設階段および荷室内のツアー検索装置や対面商談デスクセットの配置により、顧客のスムーズな流れが自然に誘導されるようにすることができる。
【００４８】
（側面の構成例）
【００４９】
開放された側面は、全面を透明強化ガラスや透明強化プラスティック製などの壁としてもよい。この場合には、開放する側面は走行時には荷室の扉を形成する金属製などの壁と当該透明ガラス製等の壁との二重構造となり、目的地において店舗開設のために側面の扉を開けると内部の透明の壁が現出することになる。このような壁を設ける目的は、屋外に開設する場合に風雨をしのぐこと、店舗内（荷室内）の冷暖房を行う場合の効果を減殺しないこと、固定式の店舗に近い雰囲気を維持することなどである。また、この壁を透明とする目的は、店舗内に外向きに設置した薄型ディスプレイ（この設置目的等については後述する）の画面を外部から見られるようにすること、店舗の内外にいる顧客に開放的で明るい雰囲気を与えることなどである。
【００５０】
開放された側面に壁を設ける場合には、登壇してきた顧客が荷室に立ち入るための、透明強化ガラスや透明強化プラスティック製などの自動扉を壁に設けてもよい。
【００５１】
図５は、側面が開放された状態における自動扉の配置の一例を示す図である。図５（ａ）は左側面の状態を示す。本図の例では、２枚の自動扉０５１８が薄型ディスプレイ０５０１を挟んで、運転台側と後部側にそれぞれ配置されている。なお、各自動扉の両外側のスペース０５１９は扉開閉装置が設置されるスペースである。図５（ｂ）は、後ろ側面も開放される場合の当該側面の状態を示す。本図の例では１枚の自動扉０５１８が配置されている。
【００５２】
（その他）
【００５３】
その他、店舗の外装設備として、図１に示すように、荷室の屋根の四隅や仮設階段などにのぼり旗を立てるためのポール０１１３を設けて、そこに店舗の名称や商標、あるいは役務の内容などを表示したのぼり旗を立てるようにしてもよい。このポールやのぼり旗も移動の際にトラックに搭載していけばよい。
【００５４】
なお、図１などの例では、トラックの運転台０１１４の屋根に旅客機のノーズ部分の形状を模した外装部品０１１５が備えられている。また、荷室の最後部付近の屋根には旅客機の垂直尾翼の形状を模した外装部品０１１６が備えられている（本図では前進方向左側の１枚のみ現れているが、前進方向右側にも同様のものが備えられる）。また、トラック運転台の屋根に備えられた外装部品の付近に屋外でのイベント（説明会など）などに使用するためのスピーカが備えられていてもよい（このほかの位置（例えば左側面の後方部など）にもスピーカなどを備えていてもよい）。
【００５５】
このようなのぼり旗や外装部品は、遠くからでも一目で旅行代理店の移動店舗であることが認識できるようにすることを目的とするものである。また、図２に示したように、上記の外装部品は走行時にも認識できるものであることから、走行時における宣言効果も目的とするものである。
【００５６】
（店舗の内装に関するトラックの構成）
【００５７】
次に、店舗の内装に関するトラックの構成について説明する。
【００５８】
店舗の空間として用いられるのは、主にトラックの荷室である。あるいは、これに加えて荷室以外の空間も店舗の一部として利用してもよい。例えば、図１に示したように、パンフレットラック０１１７をトラックの外に持ち出して配置してもよい。このようにすることで、一般に移動店舗のスペースが固定式の店舗に比べて狭いことを補うことができる。また、これにより、移動旅行相談店舗において、基本的に固定式の旅行代理店などの店舗と同じ機能を発揮することが可能となる。固定式の旅行代理店などの店舗と同じ機能とは、企画ツアーの実施、旅行ガイド、旅行に関する契約の代理・媒介又は取次ぎ、旅行先でのホテルなどの提供の契約の媒介・取次ぎなどである。
【００５９】
図６は、本考案に係る移動旅行相談店舗トラックの荷室内における装置・設備の配置の一例を示す図である。本図では、対面商談デスクセット０６０５、ツアー検索装置０６０７などが配置されている例が示されている。なお、対面商談デスクセットの手前には薄型ディスプレイ、ビデオ再生装置が配置されるが、これらの位置は図１で明確に示されており、本図では煩雑さを避けるため図示を省略した。以下、これらの装置・設備について個別に説明する。
【００６０】
（薄型ディスプレイ）
【００６１】
薄型ディスプレイは、ビデオ再生装置で再生するビデオの映像を表示するためのものである。薄型としたのは、場所を取らないためである。
【００６２】
薄型ディスプレイの使用目的は、主にトラックの側面付近の店舗外エリアに人を集めてツアー企画等の説明会を実施する際に旅行先の記録映像などを表示して展示することにある。また、店舗内での対面商談やツアー検索装置の利用の順番待ちをするためにトラックの外で待っている人々に対して宣伝用や観賞用の映像を表示するために使用することも考えられる。
【００６３】
（ビデオ再生装置）
【００６４】
ビデオ再生装置は、薄型ディスプレイ等で表示するための旅行の宣伝ビデオを再生するための装置である。図１の例では、ビデオ再生装置０１０４は薄型ディスプレイ０１０３の下に配置されている。ただし、この配置は一例であって、ビデオ再生装置はこれ以外の場所、例えば薄型ディスプレイの背後の位置に配置されていてもよい。
【００６５】
「旅行の宣伝ビデオ」には、直接企画ツアーなどの宣伝を行う内容のものに限られず、間接的に顧客獲得につながりうる旅行先の観光名所案内などの観賞用ビデオなどが広く含まれる。また、ここでいう「ビデオ」の記録媒体の種類や再生方式に限定はなく、動画や静止画などの映像を含む情報を記録したものが広く含まれる。
【００６６】
（対面商談デスクセット）
【００６７】
対面商談デスクセットは、荷室内に設置される移動旅行相談店舗の職員と顧客の対面商談のためのデスク、チェア・ソファ（ベンチ）等のセットである。図６の例では職員１人と顧客３人分のチェアと、これに対応した長さのデスクが配置されているが、何人分の職員、顧客に対応するためのセットとするかについて限定はなく、移動旅行相談店舗トラックのスペースの範囲内で、他の装置・設備に割くべきスペースも勘案しつつ適宜決定される。
【００６８】
例えば、本図の例と異なり、職員：顧客の比が１対１または１対２の対面商談デスクセットであってもよい。移動店舗においては職員の数は１人であることも多いと考えられるので、この場合には顧客が１人または２人用のデスクセットということになる。このように顧客が１人または２人といった少人数に対応したデスクセットとした場合には、薄型ディスプレイをさらに大型化するとかその数を増やすとかいったことが可能となるし、図１ではトラック外に配置していたパンフレットラックを荷室内に配置するなどしてもよい。
【００６９】
（顧客用のツアー検索装置）
【００７０】
顧客用のツアー検索装置は、コンピュータを利用した装置であって、顧客がタッチパネル操作などにより、ツアー企画を検索したり、ツアーへの参加予約を行ったりするための装置である。
【００７１】
ツアー検索装置は、好適には前進方向に対して右側面側の隅に設置される。これは、当該装置を用いてツアーへの参加予約などを行う場合には、顧客の氏名、住所、電話番号、クレジットカード番号などの個人情報を入力することも考えられることから、店舗内の隅の人目につきにくい位置に配置することでプライバシーの保護を図ることを目的とする。図１や図６の例でも、ツアー検索装置は右側面側の後ろ側面近くに配置されている好適な例が示されている。
【００７２】
前述の対面商談デスクセットのスペースを狭くすることなどでツアー検索装置を複数台数置くスペースを確保して、当該装置を複数設置してもよいが、この場合には、上記のプライバシー保護の観点から、装置を並べて配置する場合には両装置の間の目隠しのためのつい立てなどを配置することが望ましい。あるいはツアー検索装置を右側面側の後ろ側面近くと運転台寄りの各隅に分けて設置するようにしてもよい。
【００７３】
（その他）
【００７４】
この他、移動旅行相談店舗トラックには、固定式の旅行代理店などの店舗に通例備えられる装置・設備が、スペースが許す限り広く備えられることが望ましい。これは、既述のように、移動旅行相談店舗が基本的に固定式の旅行代理店などの店舗と同じ機能を発揮することを目的とするためである。
【００７５】
このような装置・設備として、例えば、電話、ＦＡＸ、事務用品を収納する戸棚、店舗内でＢＧＭを流したりするためのスピーカなどが挙げられる。
【００７６】
また、移動旅行相談店舗トラックに備えられる事務用のコンピュータやツアー検索装置などのコンピュータ端末は、通信ネットワークを介して本社や予約センターのホストコンピュータなどのサーバに接続可能なものである。これにより、固定的な店舗の場合と同様に、当該店舗から通信ネットワークを介してこれらサーバにアクセスして予約状況の確認を行ったり、予約を行ったりすることが可能となる。
【００７７】
また、図１の例にも表れているように、店舗内の壁（荷室の右側面の室内面など）にポスター０１２０やパンフレット０１２１などが貼られていてもよく、これらも移動旅行相談店舗が基本的に固定式の旅行代理店などの店舗と同じ機能を発揮することを目的とすることの一環である。
【００７８】
固定式の店舗に比べてスペースに制約がある中で、固定式の店舗と基本的に同じ機能を発揮するための工夫として、例えば、紙媒体よりも電子媒体の使用の比重を高めるといったことも考えられる。例えば、紙媒体であるパンフレット類は、これを載置するためのラックも含めて相当のスペースを占めるので、これを節約するため、紙パンフレットの量を減らして電子パンフレット（紙パンフレットと基本的に同一内容を電子データとして格納したもの）で代替するといった方法が考えられる。
【００７９】
なお、移動旅行相談店舗トラックに特有の装置・設備として、照明装置や電子機器類の電源をまかなうための電源装置なども備えられる。
【００８０】
<効果>
【００８１】
本実施例の考案により、旅行業の固定式の店舗がない地域においても旅行店舗を開設できるための、旅行店舗設備を備えた移動旅行相談店舗トラックを提供することが可能となる。
【図１】
0003151681.tif 000003
【図２】
0003151681.tif 000004
【図３】
0003151681.tif 000005
【図４】
0003151681.tif 000006
【図５】
0003151681.tif 000007
【図６】
0003151681.tif 000008
【図７】
0003151681.tif 000009